(57)【特許請求の範囲】
【請求項１】
金属性支持体上に光導電層を有してなるシート状の電子写真平版印刷版を多数枚積載する積載手段に於て、積載された電子写真平版印刷版の少なくとも側面部に接触する導電体と、該導電体から該積載手段を格納する製版装置に付設されたアースに接続可能な通電手段とを有し、該導電体が積載された電子写真平版印刷版の少なくとも最上版の側面部に上下動可能に接触し、かつ該導電体の最頂部と該最上版の給版位置との位置関係を略一定に保持することを特徴とする電子写真平版印刷版の積載手段。
【請求項２】
金属性支持体上に光導電層を有してなるシート状の電子写真平版印刷版を多数枚積載する積載手段に於て、積載された電子写真平版印刷版の少なくとも側面部に接触する導電体と、該導電体から該積載手段を格納する製版装置に付設されたアースに接続可能な通電手段とを有し、該通電手段が、積載手段を製版装置の定位置へ位置決めする位置決め手段であることを特徴とする電子写真平版印刷版の積載手段。
【請求項３】
金属性支持体上に光導電層を有してなるシート状の電子写真平版印刷版を多数枚積載した積載手段を格納すると共に、積載された電子写真平版印刷版を製版処理する製版装置に於て、製版装置に格納された積載手段に載置された電子写真平版印刷版の少なくとも側面部に接触する導通手段を有し、かつ該導通手段が製版装置に付設されたアースに接続され、該電子写真平版印刷版の最上版を枚葉毎に給版する際に、該導通手段が少なくとも該最上版がその直下の電子写真平版印刷版と完全に非接触状態になるまで接触可能な構造を有することを特徴とする電子写真平版印刷版の製版装置。
【発明の詳細な説明】
【０００１】
【発明の属する技術分野】
電子写真平版印刷版の積載手段及び製版装置に関し、より詳しくは積載手段に電子写真平版印刷版を載置する際や載置された電子写真平版印刷版を製版するに当たって給版する際に、不必要な電子写真平版印刷版の帯電を防止し、もって安定した画像が得られる電子写真平版印刷版の積載手段及び製版装置に関する。
【０００２】
【従来の技術】
電子写真平版印刷版は、アルミニウム等の導電性支持体上に光導電性物質を含有する光導電層が被着された電子写真感光体から作製される。この電子写真感光体に於ける光導電層を構成する材料としては、特公昭３７−１７１６２号、同３８−７７５８号、同４６−３９４０５号、特開昭５２−２４３７号、同５７−１６１８６３号、同５８−２８５４号、同５８−２８７６０号、同５８−１１８６５８号、同５９−１２４５２号、同５９−４９５５５号、同６２−２１７２５６号、同６３−２２６６６８号、及び特開平１−２６１６５９号公報等に記載されている様な有機光導電性化合物・結着樹脂系材料が、実用感度及び耐刷性等に優れている。
【０００３】
電子写真平版印刷版の製版工程に於ては、まず上記電子写真感光体の光導電層上に暗所に於て所定の帯電工程が施され、一様な電荷がのせられる。次に露光によって画像に対応する静電潜像が形成される。続いて電子写真用現像剤を用いた現像及び定着処理が行われ、上記静電潜像に対応したトナー画像が形成される。トナー画像部以外の非画像部は、アルカリ剤等を含有する溶出液により溶解・除去（溶出）され、続いて水洗またはリンス液により版面に残存する溶解した非画像部成分を清浄化し、更に必要に応じて版面保護液（保護ガム液）の塗布等の処理が施されて最終的な刷版が得られる。
【０００４】
ことろで、一般的に新聞印刷に用いられるＰＳ版等の印刷版は、パレットと呼称される印刷版積載手段に枚葉に切断されて複数枚積み重ねられた状態（印刷版群）で梱包され、移送されて製版装置に位置決めされ装着格納されて製版に供される。印刷版を枚葉に切断する際には、切断の作業性や傷付き防止のために合紙が重ね合わされているが、製版装置内での給版の作業性を考慮して、積載手段へは印刷版間に傷付き防止の合紙なしで載置されることが一般的である。同様に、電子写真平版印刷版に於ても合紙なしに複数枚積載されて製版装置に位置決めされ、装着格納されて製版に供される。
【０００５】
【発明が解決しようとする課題】
製版装置に於ては、多数枚積載された電子写真平版印刷版は積み上げられた最上版から枚葉毎に取り出されて製版処理に供せられる（給版工程）。そして、製版装置に於ける電子写真平版印刷版の取り出し（給版）は、最上版の複数部分を吸着パットで吸着し、上部へ持ち上げる様にして給版される。
【０００６】
ところで、電子写真平版印刷版の光導電層は暗所、則ち製版装置内では電気絶縁性であり、給版に伴う印刷版間の剥離により、給版後の積載手段上の最上版の光導電層表面が帯電することがあった。特に湿度が低下する冬場には、帯電の可能性が高まると共に表面の帯電量が多くなり、給版後の電子写真平版印刷版への一様な帯電が困難になると共に、塵埃等が給版前の光導電層表面に静電的に付着し、安定した画像形成が阻害されることがあった。
【０００７】
本発明の課題は、上記事実を考慮し、積載手段に電子写真平版印刷版を載置する際や載置された電子写真平版印刷版を製版するに当たって給版する際に、不必要な電子写真平版印刷版の帯電を防止し、もって安定した画像が得られる電子写真平版印刷版の積載手段及び製版装置を提供することが目的である。
【０００８】
【課題を解決するための手段】
上記問題を解決するため検討を重ねた結果、以下の発明により達成されることを見出した。則ち、第１の発明は、金属性支持体上に光導電層を有してなるシート状の電子写真平版印刷版を多数枚積載する積載手段に於て、積載された電子写真平版印刷版の少なくとも側面部に接触する導電体と、該導電体から該積載手段を格納する製版装置に付設されたアースに接続可能な通電手段とを有し、該導電体が積載された電子写真平版印刷版の少なくとも最上版の側面部に上下動可能に接触し、かつ該導電体の最頂部と該最上版の給版位置との位置関係を略一定に保持することを特徴とする電子写真平版印刷版の積載手段である。
【０００９】
また、第２の発明は、金属性支持体上に光導電層を有してなるシート状の電子写真平版印刷版を多数枚積載する積載手段に於て、積載された電子写真平版印刷版の少なくとも側面部に接触する導電体と、該導電体から該積載手段を格納する製版装置に付設されたアースに接続可能な通電手段とを有し、該通電手段が、積載手段を製版装置の定位置へ位置決めする位置決め手段であることを特徴とする電子写真平版印刷版の積載手段である。
【００１０】
また、第３の発明は、金属性支持体上に光導電層を有してなるシート状の電子写真平版印刷版を多数枚積載した積載手段を格納すると共に、積載された電子写真平版印刷版を製版処理する製版装置に於て、製版装置に格納された積載手段に載置された電子写真平版印刷版の少なくとも側面部に接触する導通手段を有し、かつ該導通手段が製版装置に付設されたアースに接続され、該電子写真平版印刷版の最上版を枚葉毎に給版する際に、該導通手段が少なくとも該最上版がその直下の電子写真平版印刷版と完全に非接触状態になるまで接触可能な構造を有することを特徴とする電子写真平版印刷版の製版装置である。
【００１１】
【発明の実施の形態】
本発明の製版装置は、電子写真平版印刷版を多数枚積載した積載手段を格納すると共に、積載された電子写真平版印刷版を製版処理する製版装置であって、製版装置内の格納された積載手段に載置された電子写真平版印刷版の少なくとも側面部に接触する位置に導通手段が配設され、この導通手段が積載手段に積載された電子写真平版印刷版の少なくとも側面部と接触すると共に、この導通手段が製版装置に付設されたアースに接続されている。
【００１２】
本発明に係わる導通手段は、製版装置内にあって格納された積載手段に載置された電子写真平版印刷版の少なくとも側面部に接触する位置に設置され、電子写真平版印刷版を積載した積載手段を製版装置に格納した際に、電子写真平版印刷版の少なくとも側面部と接触し、給版に伴う電子写真平版印刷版間の剥離による帯電を防止または散逸する機能を有するもので、少なくとも導通手段に於ける電子写真平版印刷版との接触部位から製版装置に付設されたアースとの接続部位にかけては、導体によって構成されている。
【００１３】
本発明に係わる導通手段に於ける導体部分の材質としては、銅、鉄（鋼）、及びアルミニウム等、あるいはこれらと亜鉛、錫、クロム、及びニッケル等との合金や、導電性のカーボン、及び導電性の各種有機物等が挙げられる。また、導電性または非導電性（絶縁性）の材質上に、金、銀、及び銅等で鍍金または包金されたものも挙げられる。これとは逆に、導通手段に於ける電子写真平版印刷版と接触し得ない部分は、必ずしも導電性を有していなくとも良く、従ってその部分は樹脂、木材、及びガラス等で代替されていても良い。
【００１４】
また、導通手段の形状としては、棒状、帯状、板状、鎖状、網状（格子状）、及びこれらの組合せ等が挙げられる。また、これらの形状物の少なくとも電子写真平版印刷版の少なくとも側面部に接触する部分に、毛状、糸状、及び針状等の導電性物がブラシ状に植毛されていても良い。
【００１５】
また、導通手段と電子写真平版印刷版の接触部とは、電子写真平版印刷版を積載した積載手段の製版装置内への格納に際して押圧を伴って接触するから、少なくとも印刷版面（光導電層面）への傷つきを防止する様、導通手段自体が印刷版格納時の接触による衝撃を緩和する様に変形するか、または殊に一定域の高さで給版する製版装置に於ては、一定域で版間剥離が実施されるから、導通手段の製版装置との接続部分に弾性を持たせても良い。
【００１６】
一方、上記の導通手段の様に、電子写真平版印刷版の少なくとも側面部と接触し、給版に伴う電子写真平版印刷版間の剥離による帯電を防止または散逸する機能を有する手段は、製版装置側に配置されていなくとも良い。即ち、電子写真平版印刷版を多数枚積載する積載手段が、積載された電子写真平版印刷版の少なくとも側面部に接触する導電体と、この導電体から積載手段を格納する製版装置に付設されたアースに接続可能な通電手段とを有することにより、電子写真平版印刷版を多数枚積載した積載手段を製版装置に格納した際に、この積載手段に装着されている通電手段を製版装置のアースに接続すれば、電子写真平版印刷版及びその積載手段の除電が可能となる。
【００１７】
本発明の積載手段は、電子写真平版印刷版を多数枚積載し、少なくとも電子写真平版印刷版の製造場所から製版装置が設置されている各場所への輸送に際し、また製版装置内の格納及び給版等に伴う移動・昇降に際する、少なくとも積載された電子写真平版印刷版の変形を防止する台（通称パレット台）と、この上に配置され、電子写真平版印刷版の積載に際する印刷版の傷つきを抑止する表面平滑な盤状部材（通称版台）とから構成される。
【００１８】
これらの材質としては、パレット台は鋼材等の金属が挙げられ、版台は樹脂や木材、もしくは金属製でも防錆塗装やプラスチックコーティング等の表面加工が施されたもの等が挙げられる。更に、パレット台は、金属表面の腐食防止や判別性から塗装が施されたり、製版装置に於ける積載手段の昇降手段との格納接触時の衝撃を緩和するため、特に昇降手段との接触する積載手段の部分には、ゴム等の衝撃緩和手段が装着されていても良い。
【００１９】
本発明に係わる導電体は、積載された電子写真平版印刷版の少なくとも側面部に接触すると共に通電手段と接続し、上記導通手段と同様に、通電手段と併せて給版に伴う電子写真平版印刷版間の剥離による帯電を防止または散逸する機能を有するものであって、導電体に用いられる材質及び基本形状は上記導通手段と同様のものが利用できる。
【００２０】
しかしながら、導電体は積載手段に付設されている関係上、電子写真平版印刷版の積載時や積載手段の輸送及びそれに先んずる梱包、あるいは製版装置への格納に際して、導電体が各工程の作業性に悪影響を及ぼすことがない様、また電子写真平版印刷版との接触が悪化することない様に、可倒式、伸縮式、または着脱可能にされていることが好ましい。
【００２１】
また、電子写真平版印刷版の実質的給版位置がその積載枚数と関係なくほぼ一定している製版装置、即ち積載した電子写真平版印刷版の使用減に従って積載手段を上昇させる給版機構を有する製版装置に於ては、積載手段の上昇に伴って導電体の上端が製版装置内部に意図せずに接触する恐れがあるため、給版される最上版の高さに合わせて自動的にあるいは外部の付勢により、少なくとも導電体の上端を上下動可能とする機構を設け、導電体の最頂部と該最上版の給版位置との位置関係を略一定に保持し、製版装置及び導電体の双方に悪影響を及ぼさない様にすることが肝要である。
【００２２】
導電体の上端を上下動可能とする機構としては、外力の付勢によって製版装置内部で自動的（即ち、操作者が操作することなしに）に少なくとも収縮すれば、必ずしも自動的に復元（伸張）しなくても良い。そこで、本発明に用いる上下動可能とする機構としては、管の中に管が伸縮可能に収納される管スライド方式（ロッド様方式）、Ｘ字状、菱形状、またはこれらを含めた組合せ形状等の形状に伸縮可能なパンタグラフ方式（マジックハンド様方式）、バネ方式、及びこれらの複合方式等が挙げられる。
【００２３】
また、導電体の最頂位置を一定に保持することは、導電体と製版装置下面あるいは床との距離を一定にすることであるから、弾性体等により導電体を上方に付勢しつつ、積載手段を貫通して導電体と製版装置下面あるいは床とを実質的に伸縮しない接続部材で接続することにより、位置復元可能に保持できる。この時、この接続部材は、通電手段に適用できる。
【００２４】
本発明に係わる通電手段は、少なくともその一部が導電体と接続され、かつ積載手段を格納する製版装置に付設されたアースに接続可能にされている。積載手段のパレット台として鋼材等の金属を用いれば、製版装置の積載手段昇降手段を導体とし、これをアースと接続することで、パレット台に通電手段を導通をとりつつ付設することによりアースが可能である。また、上述した様に、パレット台に衝撃緩和手段が装着されるなどして、パレット台と昇降手段とが電気絶縁状態であれば、通電手段は導電体と接続するコード状のものが挙げられる。
【００２５】
ところで、製版装置に於て積載手段に積載された電子写真平版印刷版を安定的に給版する関係上、電子写真平版印刷版が定位置に積載された積載手段は、通常積載手段及び製版装置に設けられた積載手段を製版装置の定位置へ位置決めする位置決め手段により位置決めされて載置格納される。
【００２６】
そこで、積載手段から製版装置に付設されたアースへ導通させる通電手段として、この位置決め手段を適用すれば、パレット台のその他の部分と昇降手段との接触部が電気絶縁状態にされていても版からアースへの導通が可能となり、また積載手段を製版装置に載置した際に、改めて製版装置のアースに接続する必要がなく、接続忘れが解消されると共に作業の効率化が図れる。
【００２７】
更に、電子写真平版印刷版の少なくとも側面部に接触する導通手段が、製版装置内に格納載置された電子写真平版印刷版の最上版を枚葉毎に給版する際に、少なくとも最上版がその直下の電子写真平版印刷版と完全に非接触状態になるまで接触可能な構造を有していれば、換言すれば、積載手段に積載された電子写真平版印刷版の最上版とその直下の電子写真平版印刷版とが給版中に完全に非接触状態となるまでこの最上版と導通手段が接触していれば、最上版とこれに接触するその直下の版との給版に付帯して誘発する剥離帯電が防止でき、塵埃等の静電的付着による製版故障が抑制できる。
【００２８】
【実施例】
本発明を実施例により更に具体的に説明するが、本発明はその目的を逸脱しない限り下記の実施例に限定されるものではない。尚、製版雰囲気は、帯電ムラの誘発し易い低湿状態で、実施例及び比較例の製版を行った。
【００２９】
参考例
本実施例に用いた電子写真平版印刷版を製版処理する製版装置に於ける印刷版格納部及び給版部、及び電子写真平版印刷版を積載した積載手段の概略図を図１に示し、これを基にして製版装置の構成及びそれに具有する機能を説明する。製版装置１０に於ける印刷版格納部及び給版部は、少なくとも印刷版と接触する部材が弾性体からなる印刷版吸着手段８とこれを保持する印刷版浮上搬送手段３８とからなる給版部、及び印刷版浮上搬送手段３８の下方に位置し、印刷版格納方向（Ｃ方向）から挿入された電子写真平版印刷版２を多数枚積載した積載手段１を装置内に格納する印刷版格納部とから構成されており、これらの周囲は鋼製の外装部材１１によって遮光保持されている。
【００３０】
製版装置１０の印刷版格納部には、弾性を有する図示しない衝撃緩和手段（ストッパー）が配置されており、印刷版格納方向（Ｃ方向）から挿入された積載手段１は、この衝撃緩和手段に軽く押し当てられ、若干のズレを含んた定位置に格納される様になっている。定位置に格納された積載手段の下方には、積載手段昇降手段７が配置されており、図示しない駆動力の駆動により、積載手段１と共に積載手段１に積載された電子写真平版印刷版２を昇降し、その最上版を常に一定範囲の高さに保持する様に積載手段昇降手段７が昇降される様になっている。
【００３１】
製版装置１０内の印刷版格納部奥には、格納された積載手段１上の少なくとも積載された電子写真平版印刷版２の側面部と接触する様に配置された導通手段１３が、導通手段保持手段１４によって製版装置１０に固定されている。積載手段１の格納位置は、上述した様に格納方向にズレの発生を許容している。そこで、奥行き方向の大きなズレによって導通手段１３が傾動しても、積載手段１が印刷版格納部から引出されれば傾斜が解放され、再格納時には少なくとも積載された電子写真平版印刷版２の最上版と接触する様、導通手段１３は接続部３５で回動可能とされている。
【００３２】
また、導通手段１３は、製版装置に付設されたアース９と導通手段保持手段１４を介して導線によって接続されている。即ち、アース９は、製版装置の少なくとも外装部材１１に対するアースと、導通手段１３及び導通手段保持手段１４を介する電子写真平版印刷版２に対するアースの双方を兼ねている。導通手段１３としては、導電性炭素繊維を数十本束ねて切り揃え、間隔をあけずに並べてアルミニウム板で挟持固定した導電性ブラシを用いた。
【００３３】
印刷版吸着手段８は、印刷版短辺方向に一対づつ配置されており、これらには個々に図示しない減圧手段が接続されている。また、印刷版吸着手段８は印刷版浮上搬送手段３８に保持固定されているが、印刷版浮上搬送手段３８は図示しない駆動力により吸着した印刷版を浮上させ（Ｄ方向）、かつ図示しない印刷版帯電工程（Ｅ方向）へ搬送される様になっている。
【００３４】
次に、積載手段１に積載されて製版装置１０に格納された電子写真平版印刷版２の印刷版吸着手段８及び印刷版浮上搬送手段３８による帯電工程への給版の一連の動作を説明する。製版装置１０に格納された電子写真平版印刷版２の直上方には、個々に図示しない減圧手段が接続された印刷版吸着手段８が配置されており、印刷版浮上搬送手段３８に伴って印刷版吸着手段８が下降し、印刷版吸着手段８が印刷版表面に接触後直ちに減圧手段により減圧吸着が開始され、電子写真平版印刷版２が印刷版吸着手段８に吸着される。電子写真平版印刷版２は印刷版吸着手段８に吸着されたまま、印刷版浮上搬送手段３８の上昇に伴って一旦最高部に上昇後、平行移動されて帯電工程へ給版される様になっている。
【００３５】
帯電工程に搬送された電子写真平版印刷版は、そこで帯電及び露光処理が施され、更に電子写真液体反転現像工程に於て電子写真液体反転現像処理が行われ、溶出工程に於て溶出処理が行われる様になっている。
【００３６】
以上の製版装置１０を用い、電子写真平版印刷版２を一日当たり１５０版程度処理し、２週間で合計３０００版まで製版処理を行った。積載手段１には、表面を砂目立て及び陽極酸化したＪＩＳ１０５０アルミニウム製支持体（０．３ｍｍ厚）上に無金属フタロシアニンを光導電材料として用いた光導電層が設けられた電子写真平版印刷版２を、光導電層を上向きにして合紙を介さずに５００枚積載し、積載手段１上の電子写真平版印刷版残存枚数が１０枚を切った時点で積載手段昇降手段７を下降させて製版装置から引出し、新たなる５００枚積載した積載手段１の最上版に残存版を積載した後に格納して製版処理に供した。
【００３７】
製版処理の結果、３０００版までの製版物に、帯電ムラに起因する画像部の濃度ムラの誘発や、塵埃等の静電付着による製版故障は全く観られず、製版処理した全てが良好な画質を有する電子写真平版印刷版が得られた。
【００３８】
実施例２
図２に、実施例２に用いた積載手段３の斜視概略図を示す。積載手段３は、鋼材製のパレット台２５、パレット台２５に載置固定された塩化ビニル系樹脂製の版台２４、及び導電体１５により構成されている。パレット台２５の版台２４近傍には、導電体１５の差込み口２６が配置固定されており、導電体１５はこの差込み口２６に差込むことで着脱可能に固定される様になっている。
【００３９】
導電体１５は、導電性炭素繊維が植毛された導電性頭部１６とロッド様（管多段スライド）式とされた中空胴部１７とからなり、導電性頭部１６にはコード状の通電手段１８が接続されている。通電手段１８は、導電体１５の中空胴部１７中を固定されることなく貫通され、その他端にはロック手段を付帯するプラグ１９が装着されており、少なくとも導電性頭部１６からロック手段を付帯するプラグ１９までが通電可能にされている。
【００４０】
電子写真平版印刷版２を積載した積載手段３に於て、製版装置までの運搬やそれに付帯する梱包等に際しては、導電体１５は必要でないばかりか、返って邪魔になるので、製版装置に格納され、積載手段昇降手段７に載置されるまでは外してあり、積載手段３が積載手段昇降手段７に載置後に、導電体１５を通電手段１８及びプラグ１９と共に差込み口２６に差込み、導電性頭部１６の植毛面を積載されている電子写真平版印刷版２の側面部に接触させる様に向けて、導電体１５を差込み口２６に着脱可能に固定する。
【００４１】
通電手段１８及びロック手段を付帯するプラグ１９は差込み口２６から下方に引抜き、製版装置の床面に付設されたアース可能とするレセプタクル２９にロック手段を付帯するプラグ１９を差込んでロックする。電子写真平版印刷版２を規定枚数積載した積載手段３が、積載手段昇降手段７により給版位置に達した時点で、通電手段１８が伸び切る様にしておくことにより、積載された電子写真平版印刷版の使用減に伴って積載手段を更に上昇させても、導電体１５の中空胴部が縮むだけで、導電性頭部１６は通電手段１８の引張によって一定高さ、即ち最上版の給版位置に保持される。
【００４２】
以上の積載手段３を用い、製版装置１０に於て導通手段１３及び導通手段保持手段１４を取外した製版装置により、参考例と同様にして電子写真平版印刷版２を一日当たり１５０版程度処理し、２週間で合計３０００版まで製版処理を行った。積載手段３には、参考例で用いた電子写真平版印刷版２を、光導電層を上向きにして合紙を介さずに５００枚積載し、積載手段３上の電子写真平版印刷版残存枚数が１０枚を切った時点で積載手段昇降手段７を下降させて製版装置から引出し、新たなる５００枚積載した積載手段３の最上版に残存版を積載した後に格納して製版処理に供した。
【００４３】
製版処理の結果、参考例と同様に、３０００版までの製版物に、帯電ムラに起因する画像部の濃度ムラの誘発や、塵埃等の静電付着による製版故障は全く観られず、全てが良好な画質を有する電子写真平版印刷版が得られた。
【００４４】
実施例３
図３に、実施例３に用いた積載手段４の斜視概略図を示す。積載手段４は、鋼材製のパレット台２８、パレット台２８に載置固定された塩化ビニル系樹脂製の版台２４、及び導電体２０により構成されている。パレット台２８の版台２４近傍には、図示しない差込み口が配置されており、実施例２と同様に導電体２０はこの差込み口に差込むことで着脱可能、かつ少なくとも導電体２０からパレット台２８へ通電可能に固定される様になっている。
【００４５】
また、導電体２０は、導電性炭素繊維を数十本束ねて切り揃え、間隔をあけずに並べてアルミニウム板で挟持固定した導電性ブラシを用いた。即ち、積載手段４に装着された導電体２０は、積載された全ての電子写真平版印刷版２の側面に導電性炭素繊維が接触する様になっている。
【００４６】
一方、パレット台２８の底面二箇所には、製版装置に装着するための位置決めピン穴５が配置され、このピン穴５を除くパレット台２８の表面にはアクリル系塗料が塗設されている。また、製版装置の積載手段昇降手段７には、位置決めピン６がパレット台２８の位置決めピン穴５と係合する様に配置固定されている。積載手段４は積載手段搬送格納手段（図示せず）により、上下矢印方向に製版装置に載置されるが、この時の位置決めの際に積載手段４と位置決めピン６とが製版装置に付設されたアース９に導通する様になっている。
【００４７】
積載手段４から製版装置に付設されたアース９へ導通させる通電手段として、この位置決めピン６及び位置決めピン穴５を適用すれば、パレット台２８と積載手段昇降手段７との接触部が塗料により電気絶縁状態にされていても、電子写真平版印刷版２からアース９への導通が可能となり、また積載手段４を製版装置に載置した際に、改めて製版装置のアース９に接続する必要がなく、接続忘れが解消されると共に作業の効率化が図れる。
【００４８】
以上の積載手段４を用い、実施例２の様に一定高さで給版を行う方式から、積載された電子写真平版印刷版２を積載手段昇降手段７によって一定度上昇させた後は、図示しないセンサにより最上版の位置（高さ）に合わせて印刷版浮上搬送手段が下降して給版する方式の製版装置により、参考例と同様にして電子写真平版印刷版２を一日当たり１５０版程度処理し、２週間で合計３０００版まで製版処理を行った。
【００４９】
製版処理の結果、参考例と同様に、３０００版までの製版物に、帯電ムラに起因する画像部の濃度ムラの誘発や、塵埃等の静電付着による製版故障は全く観られず、全てが良好な画質を有する電子写真平版印刷版が得られた。
【００５０】
実施例４
図４は積載手段４に積載された電子写真平版印刷版２の最上版２ａが取り上げられた（給版）状態を表す概略図である。複数個の印刷版吸着手段８は、製版装置の積載手段昇降手段７に載置された積載手段４に積載された電子写真平版印刷版２の最上版を枚葉毎に取上げる動作を行っている。給版は最上版２ａの複数部分に印刷版吸着手段８による吸着を行い、上部へ持上げる様にして行われ、次の帯電工程に搬送される。
【００５１】
この時に、取上げられた後の積載手段最上の電子写真平版印刷版の表面（Ａ、Ｂ間）には剥離により静電気が発生、帯電することがあったが、最上版２ａが他の電子写真平版印刷版２から完全に離脱した状態まで、図示しない製版装置の導通手段２３に接触していることにより、静電気が発生したとしても、帯電することが防止できるため、画像形成のための電子写真平版印刷版の表面への一様な帯電でき、また塵埃等の静電付着を防止できる。
【００５２】
比較例
実施例２に於て製版に用いた（導通手段のない）製版装置を用い、かつ実施例２で用いた電子写真平版印刷版２が積載された積載手段３に導電体１５及び通電手段１８を装着しなかった以外は、実施例２と全く同様にして給版動作を含む製版工程を行ったところ、帯電ムラに起因する画像部の濃度ムラが発生したり、塵埃等の静電付着による製版故障がみられた。
【００５３】
【発明の効果】
本発明によれば、製版装置側にこれに付設されたアースと通電可能な導通手段を、または積載手段側に製版装置に付設されたアースと通電可能な導電体と通電手段とを、多数枚積載した電子写真平版印刷版の少なくとも側面部と接触する様に配置することにより、少なくとも電子写真平版印刷版を製版するに当たって給版する際に、電子写真平版印刷版が版間剥離等によって帯電してもアース可能となり、不用意な帯電に起因する静電潜像形成前の塵埃の付着や静電潜像ムラ等による画像欠陥を防止し、もって安定した画像が得られるが、特に積載手段側にアースと通電可能な手段を設けておくことで、積載手段への電子写真平版印刷版の載置に於ても、帯電を散逸できる。また、積載手段に導電体を可倒式、伸縮式、または着脱可能にすることにより、電子写真平版印刷版の積載時や積載手段の輸送及びそれに先んずる梱包、あるいは製版装置への格納に際して、導電体が各工程の作業性に悪影響を及ぼすことがない。
【００５４】
また、積載手段に於ける導電体から製版装置に付設されたアースへ導通させる通電手段として、積載手段を格納する際の位置決め手段を適用すれば、パレット台のその他の部分と積載手段昇降手段との接触部が電気絶縁状態にあっても、電子写真平版印刷版からアースへの導通が可能となり、また積載手段を製版装置に載置した際に、改めて製版装置のアースに接続する必要がなく、接続忘れが解消されると共に作業の効率化が図れる。
【００５５】
更に、積載手段に積載された電子写真平版印刷版の最上版とその直下の印刷版とが、給版中に完全に非接触状態となるまでこの最上版と導通手段が接触していれば、最上版とこれに接触するその直下の版との給版に付帯して誘発する剥離帯電が防止でき、塵埃等の静電的付着による製版故障が抑制できる。
【図面の簡単な説明】
【図１】電子写真平版印刷版を積載した積載手段を格納した、導通手段を有する製版装置の側面概略図。
【図２】積載した電子写真平版印刷版に接触する導電体が装着された積載手段の斜視概略図。
【図３】導電体が装着された積載手段と製版装置の積載手段昇降手段の接合関係を表す斜視概略図。
【図４】電子写真平版印刷版の最上版が導通手段と接触しながら給版される状態を表す概略図。
【符号の説明】
１、３、４  積載手段
２、２ａ  電子写真平版印刷版
５  位置決めピン穴
６  位置決めピン
７  積載手段昇降手段
９  アース
１０  製版装置
１３、２３  導通手段
１５、２０  導電体
１８  通電手段
２４  版台
２５、２８  パレット台
２６  差込み口
【図１】
0003628429.tif 000002
【図２】
0003628429.tif 000003
【図３】
0003628429.tif 000004
【図４】
0003628429.tif 000005